(57)【要約】      （修正有）【課題】搬送が容易な搬送型データ消去装置の提供。【解決手段】データの消去を行う機能を実行するＣＰＵ５１と複数の磁気ディスク装置に電力を供給する電源制御部５５と前記複数の磁気ディスク装置３０とケーブルを介して接続する複数のインタフェース部５４ａ〜５４ｅと風を送風する冷却ファン１９とを内蔵し、画像を表示するディスプレイ部１８を表面に取り付けた本体部と、前記複数の磁気ディスク装置３０を立設して搭置する複数の立設保持部とキーボード２２とを搭載した操作部とから成り、前記本体部と操作部とを閉じることにより箱形状を成して搬送を容易にし、開いた状態において複数の磁気ディスク装置３０を立設保持部により立設保持し且つ冷却ファン１９により冷却しながら磁気ディスク装置３０のデータ消去を行うもの。【選択図】図４
0003134012.tif 000002
【実用新案登録請求の範囲】
【請求項１】
本体部と、該本体部に対して開閉自在に接続され、閉状態において前記本体部と一体的に結合して箱形状を成す操作部とを有し、複数の磁気ディスク装置に記憶されたデータの消去を行う搬送型データ消去装置であって、
磁気ディスク装置に記憶されたデータの消去を行う機能を有するコンピュータと、複数の磁気ディスク装置に電力を供給する電源部と、前記複数の磁気ディスク装置とケーブルを介して接続する複数のインタフェース部と、風を送風する冷却ファンとを内蔵し、前記コンピュータによる画像を表示するディスプレイ部を表面に取り付けた本体部と、
前記複数の磁気ディスク装置を立設して搭置する複数の立設保持部と、前記コンピュータの操作を指示するキーボードとを搭載した操作部とを備え、
前記本体部と前記操作部とを開いた状態において、前記複数の磁気ディスク装置を立設保持部により立設保持した状態で、前記冷却ファンから複数の磁気ディスク装置に風を送風して冷却しながら磁気ディスク装置のデータ消去を行う搬送型データ消去装置。
【請求項２】
前記磁気ディスク装置が、磁気ディスク及び磁気ヘッドを収納し、底面に外周枠部を有するシュラウド部を含み、前記立設保持部が、前記シュラウド部の上面を押圧することにより前記外周枠部を他方の立設保持部に押圧する押圧手段を備えた請求項１記載の搬送型データ消去装置。
【請求項３】
前記押圧手段が、前記シュラウド部の搭置縦方向の重心位置近傍を押圧する請求項２記載の搬送型データ消去装置。
【請求項４】
前記立設保持部が、前記冷却ファンからから送風される風を磁気ディスク装置のシュラウド部の面に沿って流通する溝を刻設した請求項１から３何れかに記載の搬送型データ消去装置。
【請求項５】
前記磁気ディスク装置を立設保持部の間において低反発状態で支持する低反発材を設けた請求項２から４何れかに記載の搬送型データ消去装置。
【請求項６】
前記押圧手段が、２枚の板状部材を開閉自在に連結し、且つ該２枚の板状部材の角度を押し開く方向に付勢するバネを有するバネ付蝶番である請求項２から５何れかに記載の搬送型データ消去装置。
【請求項７】
前記押圧手段が、磁気ディスク装置のシュラウド部の他面を押圧する部分に摩擦抵抗の少ない低摩擦部材を有する請求項２から６何れかに記載の搬送型データ消去装置。
【考案の詳細な説明】
【技術分野】
【０００１】
本考案は、多数の磁気ディスク装置のデータを消去することができる搬送型データ消去装置に係り、特に複数の磁気ディスク装置の振動を抑制して確実にデータ消去を行うことができる搬送が容易な搬送型データ消去装置に関する。
【背景技術】
【０００２】
前述のデータ消去は、過去においては顧客からデータ消去業者に磁気ディスク装置が持ち込まれ、この回収した多数の磁気ディスク装置をデータ消去業者が物理的破壊やランダムなデータの上書きにより行っていたが、近年においては、データ機密の認識向上によってデータ消去業者が顧客事業所に出向いてデータ消去作業を行うことが要求されている。
【０００３】
前述の顧客事業所における従来技術によるデータ消去作業は、データ消去業者が多数の電源及び各種及び複数のインタフェース接続が可能なタワー型のパーソナルコンピュータを顧客事業所に持ち込み、複数の磁気ディスク装置を平置きし、該磁気ディスク装置に電源ケーブル及びインタフェースケーブルを接続し、前記パーソナルコンピュータに格納されたデータ消去アプリケーションソフトによってデータ消去作業を行っていた。尚、タワー型のパーソナルコンピュータを使用していた理由は、磁気ディスク装置には、ＳＡＳ（シリアルＳＣＳＩ）／ＦＣ（光ファイバーチャネル）／ＳＣＳＩ(スモール・コンピュータ・システム・インターフェース)／ＳＡＴＡ（シリアルＡＴＡ［ＩＤＥ規格の拡張仕様］）／ＰＡＴＡ（パラレルＡＴＡ）等の各種インタフェース（Ｉ／Ｆ）が採用されており、これら多種のＩ／Ｆに対応した複数のＩ／Ｆボードを搭載する必要があるためである。
【０００４】
尚、前記磁気ディスク装置のデータ消去に関する技術が記載された文献としては、例えば下記特許文献が挙げられ、この特許文献には磁気ディスク全てに消去用データを上書きすることなく、データ消去を行うことができる技術が記載されている。
【特許文献１】特開２００６−１９６１３５号公報
【考案の開示】
【考案が解決しようとする課題】
【０００５】
前述の従来技術によるタワー型のパーソナルコンピュータを用いたデータ消去作業は、大型のタワー型のパーソナルコンピュータ／多数の磁気ディスク装置用の電源／液晶ディスプレイ部／キーボードを顧客事業所に持ち込むため、これら大型装置の搬送が困難であると共に、多数の磁気ディスク装置を平置きした状態で作業を行うために広い作業領域が必要であると言う不具合があった。
【０００６】
また前述の特許文献記載の技術は、１台の磁気ディスク装置のデータ消去を効率よく行うことができるものの、前述した複数の磁気ディスク装置のデータ消去や、消去装置自体の搬送や作業領域については考慮しておらず、前述と同様な不具合を招くものであった。
【０００７】
本考案の目的は、前述の従来技術による不具合を除去することであり、小型省スペースで複数の磁気ディスク装置のデータ消去を効率よく行うことができる搬送型データ消去装置を提供することである。
【課題を解決するための手段】
【０００８】
前記目的を達成するために本考案は、本体部と、該本体部に対して開閉自在に接続され、閉状態において前記本体部と一体的に結合して箱形状を成す操作部とを有し、複数の磁気ディスク装置に記憶されたデータの消去を行う搬送型データ消去装置であって、磁気ディスク装置に記憶されたデータの消去を行う機能を有するコンピュータと、複数の磁気ディスク装置に電力を供給する電源部と、前記複数の磁気ディスク装置とケーブルを介して接続する複数のインタフェース部と、風を送風する冷却ファンとを内蔵し、前記コンピュータによる画像を表示するディスプレイ部を表面に取り付けた本体部と、前記複数の磁気ディスク装置を立設して搭置する複数の立設保持部と、前記コンピュータの操作を指示するキーボードとを搭載した操作部とを備え、前記本体部と前記操作部とを開いた状態において、前記複数の磁気ディスク装置を複数の立設保持部により立設保持した状態で、前記冷却ファンから複数の磁気ディスク装置に風を送風して冷却しながら磁気ディスク装置のデータ消去を行うことを第１の特徴とする。
【０００９】
また本考案は、前記磁気ディスク装置が、磁気ディスク及び磁気ヘッドを収納し、底面に外周枠部を有するシュラウド部を含み、立設保持部が、前記シュラウド部の上面を押圧することにより、前記外周枠部を他方の立設保持部に押圧する押圧手段を備えたことを第２の特徴とし、前記何れかの搬送型データ消去装置において、前記押圧手段が、前記シュラウド部の搭置縦方向の重心位置近傍を押圧することを第３の特徴とする。
【００１０】
更に本考案は、前記第２の特徴以降の搬送型データ消去装置において、前記立設保持部が、前記冷却ファンからから送風される風を磁気ディスク装置のシュラウド部の面に沿って流通する溝を刻設したことを第４の特徴とし、前記磁気ディスク装置を立設保持部の間において低反発状態で支持する低反発材を設けたことを第５の特徴とし、前記押圧手段が、２枚の板状部材を開閉自在に連結し、且つ該２枚の板状部材の角度を押し開く方向に付勢するバネを有するバネ付蝶番であることを第６の特徴とし、前記押圧手段が磁気ディスク装置のシュラウド部の他面を押圧する部分が摩擦抵抗の少ない低摩擦部材を有することを第７の特徴とする。
【考案の効果】
【００１１】
本考案による搬送型データ消去装置は、本体部と操作部とが閉状態において一体的に結合して箱形状を成すことにより、搬送が容易であると共に、複数の磁気ディスク装置を立設保持部により立設保持した状態で、冷却ファンから複数の磁気ディスク装置に風を送風して冷却しながら磁気ディスク装置のデータ消去を行うことができる。
【００１２】
更に本考案は、立設した磁気ディスク装置を低反発材上に搭置し且つ一方の立設保持部が押圧手段により磁気ディスク装置の枠部を他方の立設保持部に押し付けることによって、駆動時の磁気ディスク装置から発生する振動を抑制した状態でデータ消去を行うことができる。
【考案を実施するための最良の形態】
【００１３】
以下、本考案による搬送型データ消去装置の一実施形態を図面を参照して詳細に説明する。図１は本実施形態による搬送型データ消去装置の構成を説明するための図、図２は本搬送型データ消去装置の作業対象となる磁気ディスク装置を説明するための図、図３は本実施形態による搬送型データ消去装置の磁気ディスク装置の立設機構を説明するための図、図４は本実施形態による搬送型データ消去装置の回路構成を説明するための図である。
【００１４】
まず、本実施形態によるデータ消去対象となる磁気ディスク装置３０について説明すると、この磁気ディスク装置の外形寸法は規格化され、例えば３．５インチ型の磁気ディスク装置においては、図２（ｂ）に示した状態において高さが約１４６ｍｍ、横方向の長さが約１００ｍｍ、厚みは、メーカーによって異なるものの約２５ｍｍ〜約３５ｍｍに規定されている。
【００１５】
この磁気ディスク装置３０は、磁気ディスク／磁気ヘッド／ボイスコイルモータを金属製の容器内に内蔵するシュラウド部３０ｄと、該シュラウド部３０ｄの底面に配置される制御基板３０ｂとから構成され、この制御基板３０ｂはシュラウド部３０ｄの底面の周縁に突出した枠部３０ａ内に収納されることによって、例えば金属板上に磁気ディスク装置３０を搭置した際にも制御基板３０ｂ上の回路素子等やスピンドルモータ３０ｃが金属板に接触しないように構成されている。また、磁気ディスク装置３０を図２（ｂ）の矢印Ｂ方向から見た側面には、図２（ａ）に示す如く、電源端子３０ｅ並びにＩ／Ｆ端子３０ｆが設けられている。尚、図２（ｂ）に示した例は、Ｉ／ＦがＩＤＥの場合である。尚、本明細書においては、前記シュラウド部３０ｄの枠部３０ａが設けられた面を底面と呼び、該底面と反対側の面を上面と呼ぶ。
【００１６】
＜構成説明＞
本実施形態による搬送型データ消去装置は、前記構成の磁気ディスク装置のデータを消去するものであって、データ消去操作時には開かれ、搬送時には箱形に閉じられる開閉型のものであって、その閉じた状態の外観は、図１（ａ）に示す如く、高さが約３９０ｍｍ、厚さが約３２０ｍｍ、幅が約５００ｍｍのボックス形状を成し、図中左方の本体部１０に対して右方の操作部２０が矢印Ａ方向に開くように構成されている。
【００１７】
この搬送型データ消去装置は、本体部１０の上面に蝶番１１を介して開閉する上プレート１６と、本体部１０の左右面に蝶番１３を介して開閉する一対の左右プレート１４とを備え、前記本体部１０の左右面には持ち運び時に使用される凹形状の取っ手１２が設けられている。
【００１８】
この閉じた状態の搬送型データ消去装置は、前記操作部２０を矢印Ａ方向に開き、且つ上プレート１６及び一対の左右プレート１４とを左右に開くことによって、図１（ｂ）に示す如く、内部が開放される。図中左方の本体部１０は、外形縦方向に、液晶ディスプレイ部１８と該液晶ディスプレイ部１８の下方に複数の冷却ファン１９とが配置され、内部には後述する回路構成のコンピュータシステムを内蔵し、図面右方の操作部２０は、プレート上に前記本体部１０を制御するためのキーボード２２及びデータ消去対象である複数の磁気ディスク装置３０を横方向に立設するための複数のアルミ製立設保持部２１を搭載する様に構成されている。尚、図１（ｂ）においては本体部１０と操作部２０とを分離して図示しているが、本体部１０の下方と操作部２０とが蝶番により開閉自在に接続されている。
【００１９】
また、前記本体部１０は、本体部１０の背面に後述する複数の電源コネクタ及びＩ／Ｆコネクタ（図示せず）が配置されている共に、図中右端下方には切り欠き部１４ａが開口されており、この切り欠き部１４ａを通して本体部１０の背面のコネクタに接続された電源及びＩ／Ｆケーブルを前面に案内して取り回し容易に構成されている。この切り欠き部１４ａを設けた理由は、特にＦＣ（ファイバーチャネル）ケーブルの場合、光伝達のために曲げる半径が３０ｍｍ〜５０ｍｍに制限されているため、特に有用である。
【００２０】
また前記本体部１０に内蔵されたコンピュータシステムは、図４に示す如く、データ消去動作を行うアプリレーションソフトやＯＳ他を格納した内部ＣＦカードメモリ装置５２と、複数の磁気ディスク装置３０の電源端子３０ｅ並びに前記複数の冷却ファン１９に接続して電力を供給するための電源制御部５５と、各種Ｉ／Ｆ（ＳＡＳ／ＦＣ／ＳＣＳＩ／ＳＡＴＡ／ＰＡＴＡ）用のＩ／Ｆボード５４ａ〜５４ｅ並びに該Ｉ／Ｆボード５４ａ〜５４ｅのコネクタ５５と、該Ｉ／Ｆボード５４ａ〜５４ｅを制御するＩ／Ｆ制御部５４と、前記各種回路並びに液晶ディスプレイ部１８及びキーボード２２に接続され、メモリ５３上に展開したソフトウェアに従って各種制御を行うＣＰＵ５１とから構成されている。尚、内部ＣＦカードメモリ装置とは、コンピュータのマザーボードに例えばＩＤＥ接続により認識されるブート用の内部磁気ディスク装置の代わりにＩＤＥ変換器を介してＣＦ（コンパクトフラッシュ：登録商標）メモリをブート用の記録媒体として使用するものであるが、内部磁気ディスク装置であっても良い。
【００２１】
更に前記操作部２０の立設保持部２１は、図３に示す如く、例えば４１ｍｍ間隔に配置され、該立設保持部２１間には磁気ディスク装置３０を搭載する位置に耐熱性を有し且つ低反発状態で物体を支持する低反発ウレタン４１が搭置され、該立設保持部２１の一側には磁気ディスク装置３０のシュラウド部３０ｄの上面を押圧することにより枠部３０ａを他の立設保持部２１に押し付けるためのバネ付蝶番４０が取り付けられている。このバネ付蝶番４０は、バネの復元力によって２枚の蝶番板を開くように構成され、磁気ディスク装置３０のシュラウド部３０ｄの上面に押し付けられる一方の蝶番板には耐熱性のテフロン（登録商標）テープが貼り付けられており、磁気ディスク装置３０の装着及び取り出し時に摩擦抵抗を低減して滑る様に構成されている。また前記バネ付蝶番４０が磁気ディスク装置３０のシュラウド部３０ｄ上面に接する位置は、磁気ディスク装置３０の重心位置（例えば図２［ａ］の位置Ｐ）が望ましいがこれに限られるものではない。前記立設保持部２１の高さは、搭置した状態の磁気ディスク装置高さの約７０％程度の約７０ｍｍに設定されている。
【００２２】
＜動作説明＞
さて、本実施形態による搬送型データ消去装置は、図１（ｂ）に示した開放状態において、複数の磁気ディスク装置３０の電源端子３０ｅ及びＩ／Ｆ端子３０ｆに各々のケーブルを接続し、この磁気ディスク装置３０の電源端子３０ｅ側を本体部１０に向け、且つシュラウド部３０ｄの上面が前記バネ付蝶番４０に押されて磁気ディスク装置３０の枠部３０ａがバネ付蝶番４０によって立設保持部２１に押し付けられる様に、一対の立設保持部２１間に搭置する。
【００２３】
この状態において、本体部１０に内蔵したコンピュータシステムを起動し、キーボード２２による操作を開始することにより、ＣＰＵ５１が内部ＣＦカードメモリ装置５２に格納したプログラムに従って冷却ファン１９による送風を開始すると共に、接続された複数の磁気ディスク装置３０に所定のパターンデータの上書きを実行することによってデータ消去動作を行う様に動作する。このデータの上書きは、例えば「０」やランダムに発生したデータを連続して書き込む事により行われ、顧客ニーズによっては複数回の上書きによって行われる。
【００２４】
本搬送型データ消去装置は、前記データ消去動作時において、冷却ファン１９による送風により磁気ディスク装置３０を冷却することができると共に、磁気ディスク装置３０を立設した状態で立設することにより省作業スペース化が図れ、更に立設した磁気ディスク装置３０を低反発ウレタン４１上に立設に且つ、シュラウド部３０ｄの一面側をバネ付蝶番４０が線接触によって枠部３０ａを他方の立設保持部２１に押し付けることにより、磁気ディスク装置３０のスピンドルモータの回転及び磁気ヘッドアクチュエータ駆動による振動を抑制した状態でデータ消去動作を維持することができる。従って本実施形態によるデータ消去装置は、複数の磁気ディスク装置のデータを同時に消去することができる。
【００２５】
尚、前記実施形態においては立設保持部２１を長方立体形状とする例を説明したが、本実施形態による立設保持部２１は、図３（ｂ）に示す如く、磁気ディスク装置３０を挟む一方又は両面に前記冷却ファン１９からの送風が流通する複数の溝部２１ｚを刻設することによって、更に磁気ディスク装置の冷却効率を向上させることもできる。
【００２６】
本実施形態による搬送型データ消去装置は、全ての構成部位を収納可能な開閉型の箱形としたため、従来のようなタワー型パーソナルコンピュータやディプレイ部、更には磁気ディスク装置用の電源装置を個別に搬送する必要がないため、持ち運びが容易であり、顧客事業所等の現地におけるデータ消去作業を省スペースにて行うことができる。
【００２７】
更に本実施形態による搬送型データ消去装置は、磁気ディスク装置３０を立設する立設保持部２１の間隔を３．５インチ型の磁気ディスク装置厚み（約２５ｍｍ〜約３５ｍｍ）より広く設定したいるため、厚みの異なる磁気ディスク装置であっても立設してデータ消去を行うことができる。
【図面の簡単な説明】
【００２８】
【図１】本考案の一実施形態による搬送型データ消去装置の構成を示す図。
【図２】本考案の作業対象となる磁気ディスク装置を説明するための図。
【図３】本実施形態による磁気ディスク装置の立設保持部を説明するための図。
【図４】本実施形態による搬送型データ消去装置のコンピュータ構成を示す図。
【符号の説明】
【００２９】
１０：本体部、１１：蝶番、１２：取っ手、１３：蝶番、１４：左右プレート、１６：上プレート、１８：液晶ディスプレイ部、１９：冷却ファン、２０：操作部、２１：立設保持部、２１ｚ：溝部、２２：キーボード、３０：磁気ディスク装置、３０ａ：枠部、３０ｂ：制御基板、３０ｃ：スピンドルモータ、３０ｅ：電源端子、３０ｆ：Ｉ／Ｆ端子、４０：バネ付蝶番、４１：低反発ウレタン、５２：内部ＣＦカードメモリ装置、５３：メモリ、５４：Ｉ／Ｆ制御部、５５：電源制御部、５５：コネクタ。
【図１】
0003134012.tif 000003
【図２】
0003134012.tif 000004
【図３】
0003134012.tif 000005
【図４】
0003134012.tif 000006